(57)【要約】【課題】使用する作業者や使用態様が変わっても放射線画像に対して的確に画質調整を行って撮影オーダー情報に確実に対応付けることが可能なコンソールを提供する。【解決手段】放射線画像撮影システム５０のコンソール５８は、複数の撮影オーダー情報のうち、一の撮影オーダー情報にフォーカスする第１フォーカス表示と、当該一の撮影オーダー情報とは異なる他の撮影オーダー情報にフォーカスする第２フォーカス表示と、を表示可能であり、複数の撮影オーダー情報が表示部に表示可能な件数以上存在し、その一部が表示部に表示されない未表示撮影オーダー情報となっている場合であって、第１フォーカス表示と第２フォーカス表示のいずれかが未表示撮影オーダー情報にフォーカスしている場合に、第１フォーカス表示又は第２フォーカス表示によってフォーカスされている未表示撮影オーダー情報の所在を表示する。【選択図】図１７
2020168383.tif 000002
【特許請求の範囲】
【請求項１】
複数の撮影オーダー情報を表示可能な表示部を備え、
前記表示部は、複数の前記撮影オーダー情報のうち、一の前記撮影オーダー情報が特定されていることを示す第１フォーカス表示と、前記撮影オーダー情報に基づいて取得された画像が特定されていることを示す第２フォーカス表示と、を表示可能であり、
前記表示部は、前記表示部に表示されていない撮影オーダー情報が存在する場合であって、前記第１フォーカス表示により特定されている撮影オーダー情報が前記表示部に表示されていない場合に、前記表示部に表示されていない撮影オーダー情報のうち、特定されている撮影オーダー情報の所在を表示することを特徴とするコンソール。
【請求項２】
前記撮影オーダー情報は、撮影部位、撮影方向の少なくともいずれかを含む撮影条件であることを特徴とする請求項１に記載のコンソール。
【請求項３】
ユーザーが操作可能なボタンを有し、
前記表示部は、前記ボタンが操作されると、前記表示部に表示されていない撮影オーダー情報のうち、特定されている前記撮影オーダー情報を表示することを特徴とする請求項１に記載のコンソール。
【請求項４】
前記第２フォーカス表示は、前記撮影オーダー情報に基づき取得された放射線画像のサムネイル画像が特定されていることを示すことを特徴とする請求項１から請求項３のいずれか一項に記載のコンソール。
【請求項５】
被写体に放射線を照射する放射線発生装置と、
二次元状に配列された複数の放射線検出素子を備え、放射線の照射により前記各放射線検出素子内で発生した電荷を画像データとして読み出す放射線画像撮影装置と、
請求項１から請求項４のいずれか一項に記載のコンソールと、を備えることを特徴とする放射線画像撮影システム。
【発明の詳細な説明】
【技術分野】
【０００１】
本発明は、放射線画像撮影システムおよびコンソールに係り、撮影オーダー情報に対応するアイコンや放射線画像のサムネイル画像等を表示可能なコンソールおよびそれを備える放射線画像撮影システムに関する。
【背景技術】
【０００２】
病気診断等を目的として、被写体にＸ線等の放射線を照射して放射線画像を撮影する放射線画像撮影システムの分野では、近年、照射された放射線を電荷に変換する放射線検出素子が二次元状（マトリクス状）に配列された放射線画像撮影装置（Flat Panel Detector：ＦＰＤ）が使用されるケースが増えつつある。そして、放射線画像撮影装置は、従来は、支持台等と一体的に形成された、いわゆる専用機として開発されたが、近年、放射線検出素子等を筐体に収納して可搬とした可搬型の放射線画像撮影装置が開発され、実用化されている。
【０００３】
このような放射線画像撮影装置を用いた放射線画像撮影システムでは、放射線画像撮影装置や、被写体を介して放射線画像撮影装置に放射線を照射する放射線発生装置の起動や動作等を制御するためにコンソールが導入される場合が多い。そして、コンソール上で、放射線画像撮影装置により得られた画像データ等に対して、各種補正処理、例えば、オフセット補正やゲイン補正、欠陥画素補正等や、撮影部位に応じた諧調処理等の精密な画像処理を行って、医師による診断等に提供する放射線画像を生成するように構成される場合も少なくない。
【０００４】
コンソール上で画像データ等に基づいて放射線画像を生成するように構成した発明としては、例えば特許文献１、２等に記載された発明を挙げることができる。特許文献１、２に挙げたコンソールの例では、コンソールは、放射線画像撮影装置から画像データ等が送信されてくると、それに基づいて自動的に放射線画像の生成処理を行って放射線画像を生成することが記載されている。
【０００５】
また、それらの公報には、コンソール上に、放射線画像撮影装置を用いて行われる撮影に関する撮影オーダー情報に対応するアイコンが撮影オーダーごとにそれぞれ表示されるとともに、現在行っている撮影或いはこれから行われる撮影に関する撮影オーダー情報に対応するアイコンが、他のアイコンとは異なる態様でフォーカス表示されることが記載されている。
【０００６】
すなわち、特許文献１では、現在行っている撮影或いはこれから行われる撮影に関する撮影オーダー情報に対応するアイコンの近傍に矢印が表示されることで、当該アイコンがフォーカス表示されることが記載されている。また、特許文献２では、現在行っている撮影或いはこれから行われる撮影に関する撮影オーダー情報に対応するアイコンを、他のアイコンとは異なる色で着色する等してフォーカス表示することが記載されている。また、アイコンのフォーカス表示は、撮影が終わるごとに次の撮影に対応するアイコンに遷移するように構成される。
【０００７】
これらの特許文献では、さらに、フォーカス表示されたアイコンに対応する撮影オーダー情報で指定された撮影が行われ、放射線画像撮影装置からコンソールに送信されてきた画像データ等に基づいて生成された放射線画像やプレビュー画像が、当該アイコンが表示されていたコンソール上の位置に表示されることも記載されている。
【０００８】
このように、生成したプレビュー画像や放射線画像を、それに対応する元のアイコンが表示されていた表示位置に表示するように構成することで、これらの画像が当該アイコンに対応する撮影オーダー情報で指定された撮影で得られた画像データに基づく画像であることを放射線技師等の作業者に明確に伝えることが可能となる。また、生成された放射線画像を、その画像を取得する基となった撮影オーダー情報に間違いなく対応付けることが可能となる等の種々の有益な効果が得られる。
【先行技術文献】
【特許文献】
【０００９】
【特許文献１】特開２０００−１６６９０８号公報
【特許文献２】国際公開第２０１１／１４２１５７号パンフレット
【発明の概要】
【発明が解決しようとする課題】
【００１０】
ところで、特許文献１、２には明確に記載されていないが、放射線技師等の作業者が、上記のようにして生成され、コンソール上に表示された放射線画像に対して、さらに明暗やコントラスト等を微調整する等して画質等を調整する処理（以下、単に画質調整処理という。）を行う場合も少なくない。
【００１１】
なお、この場合は、画質調整された後の画像が確定され、撮影オーダー情報に対応付けられることになる。また、コンソールが生成した放射線画像の画質等が適切である場合には、当然、改めて画質調整を行う必要はない。そのため、以下、「画質調整を行う」等と言う場合、このように放射線技師等の作業者が画質調整の必要なしと判断して画質調整を行わない場合も含む。
【００１２】
画質調整を行う場合、作業に慣れた作業者であれば、例えばアイコンのフォーカス表示を次々と遷移させながら複数の撮影を先に行ってしまい、その後、生成された各放射線画像を、撮影順にとらわれずに自分の処理し易い順番で画質調整していくことができる。そして、このように自由に作業を行うことが許容されるように放射線画像撮影システムやコンソールが構成されていれば、その方が慣れた作業者には使い易いと感じられる。
【００１３】
一方、このような画質調整等に慣れていない作業者の場合、上記のように先に撮影を全て行ってから画質調整を後でまとめて行うように構成されていると、画質調整の際、画質調整をどの画像まで行いどの画像で行っていないかが分からなってしまう等の問題が生じるケースがあり得る。そのため、このような不慣れな作業者にとっては、撮影を行うごとに画質調整を行うように構成されていた方が安心できる。
【００１４】
すなわち、放射線技師等の作業者が、撮影が終わると、コンソール上で生成された放射線画像の画質調整を行う、画質調整が完了すると、次の撮影を行って画質調整を行う。これを繰り返すように構成されていれば、少なくとも撮影を行うごとに放射線画像の画質調整を行い、放射線画像を確定させて撮影オーダー情報に確実に対応付けていくことが可能となる。そのため、上記のように画質調整をどの画像まで行ったかが分からなってしまったり、画質調整をし忘れる等の問題が生じることがなくなるため、不慣れな作業者にとってはこの方が安心して作業を行うことが可能となる。
【００１５】
また、上記のように撮影と画質調整とを別々に行うか、或いは撮影ごとに画質調整を行うかは、上記のように放射線技師等の作業者が作業に慣れているか否かだけでなく、コンソールや放射線画像撮影システムの使用態様によってもその使い勝手の良さ等が変わり得る。
【００１６】
すなわち、作業に慣れた作業者であっても、例えば１台のコンソールを他の作業者と共用で用いるような場合、コンソール上に表示された放射線画像が他の作業者が撮影したものであるのに画質調整してしまったり、或いは自分が撮影した放射線画像を他の作業者が撮影した放射線画像であると勘違いして画質調整し忘れたりするような事態が生じ得る。また、自分が撮影した放射線画像を他の作業者が勘違いして画質調整を行ってしまう虞れもある。
【００１７】
そのため、このような場合には、たとえ作業に慣れた作業者であっても、コンソールや放射線画像撮影システムが撮影ごとに画質調整を行うように構成されていた方が、上記のような勘違い等が入り込む余地なく、撮影を行うごとに放射線画像の画質調整を行って放射線画像を確定させて撮影オーダー情報に確実に対応付けていくことが可能となる。
【００１８】
このように、コンソールや放射線画像撮影システムには、それを使用する放射線技師等の作業者や使用態様が変わっても、放射線画像に対して的確に画質調整を行って撮影オーダー情報に確実に対応付けることが可能とされていることが求められる。
【００１９】
本発明は、上記の点を鑑みてなされたものであり、使用する放射線技師等の作業者や使用態様が変わっても、放射線画像に対して的確に画質調整を行って撮影オーダー情報に確実に対応付けることが可能なコンソールや放射線画像撮影システムを提供することを目的とする。
【課題を解決するための手段】
【００２０】
前記の問題を解決するために、本発明のコンソールは、
複数の撮影オーダー情報を表示可能な表示部を備え、
前記表示部は、複数の前記撮影オーダー情報のうち、一の前記撮影オーダー情報が特定されていることを示す第１フォーカス表示と、前記撮影オーダー情報に基づいて取得された画像が特定されていることを示す第２フォーカス表示と、を表示可能であり、
前記表示部は、前記表示部に表示されていない撮影オーダー情報が存在する場合であって、前記第１フォーカス表示により特定されている撮影オーダー情報が前記表示部に表示されていない場合に、前記表示部に表示されていない撮影オーダー情報のうち、特定されている撮影オーダー情報の所在を表示することを特徴とする。
【発明の効果】
【００２１】
本発明のような方式のコンソールや放射線画像撮影システムによれば、システムやコンソールを使用する放射線技師等の作業者やコンソールの使用態様が変わっても、放射線画像に対して的確に画質調整を行う等して、放射線画像を撮影オーダー情報に確実に対応付けることが可能となる。そのため、放射線画像の撮影オーダー情報への対応付けを間違えたり、他の作業者が撮影した放射線画像を自分が撮影した放射線画像であると勘違いして確定指示等を行ってしまう等の問題が生じることを的確に防止することが可能となる。
【図面の簡単な説明】
【００２２】
【図１】本実施形態に係る放射線画像撮影システムの全体構成を示す図である。
【図２】放射線画像撮影装置の外観斜視図である。
【図３】図２におけるＸ−Ｘ線に沿う断面図である。
【図４】放射線画像撮影装置のセンサー基板の構成を示す平面図である。
【図５】カセッテ保持部の内部にコネクターが設けられたブッキー装置を説明する図である。
【図６】放射線画像撮影装置のコネクターとブッキー装置のコネクターとが接続された状態を表す外観斜視図である。
【図７】放射線画像撮影装置がクレードルに挿入され、コネクター同士が接続された状態を表す断面図である。
【図８】検知手段としてタグリーダーを備える構成を示す図である。
【図９】撮影オーダー情報の一例を示す図である。
【図１０】撮影オーダー情報を表示する選択画面の一例を示す図である。
【図１１】各撮影オーダー情報に対応する各アイコン等を表示する画面の一例を示す図である。
【図１２】画面の中央の表示ワーキングスペースにプレビュー画像を表示するのと同時にアイコンの近傍等にプレビュー画像のサムネイル画像を表示した状態を説明する図である。
【図１３】第１遷移モードでアイコンのフォーカス表示の遷移とサムネイル画像のフォーカス表示の遷移とを同時に行う状態を説明する図である。
【図１４】第２遷移モードでは（Ａ）先にアイコンのフォーカス表示が次の撮影のアイコンに遷移され、（Ｂ）続いて次の撮影のアイコンの近傍等のサムネイル画像を表示するスペースの位置にフォーカス表示が遷移されるようになることを説明する図である。
【図１５】携帯端末の構成例を示す図であり、携帯端末の画面ａ上にコンソールに表示されるアイコンと同様のアイコンを表示させた構成例を示す図である。
【図１６】複数の撮影室と１つのコンソールとが対応付けられた放射線画像撮影システムの構成例を説明する図である。
【図１７】アイコンのフォーカス表示が現在開いているページの前のページで行われていることを表す画面上の表示例を示す図である。
【図１８】コンソールがプレビュー画像や放射線画像を生成した時点でそれを画面の一部に表示するように構成した場合の例を表す図である。
【発明を実施するための形態】
【００２３】
以下、本発明に係る放射線画像撮影システムおよびコンソールの実施の形態について、図面を参照して説明する。
【００２４】
なお、以下では、放射線画像撮影システムで用いられる放射線画像撮影装置として、シンチレーター等を備え、照射された放射線を可視光等の他の波長の光に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００２５】
また、放射線画像撮影装置がいわゆる可搬型である場合について説明するが、支持台等と一体的に形成された、いわゆる専用機型（据え付け型等ともいう。）の放射線画像撮影装置に対しても、本発明を適用することが可能である。さらに、本発明は、以下の図示例のものに限定されるものではない。
【００２６】
図１は、本実施形態に係る放射線画像撮影システムの基本構成を示す図である。ここでは、まず、撮影室Ｒａとコンソール５８が１：１に対応付けられている場合における放射線画像撮影システム５０を示すことで、本実施形態に係る放射線画像撮影システム５０の基本構成を説明する。なお、撮影室Ｒａとコンソール５８が１：１以外の形態で対応付けられている場合については後で説明する。
【００２７】
撮影室Ｒａは、患者の身体の一部である被写体（すなわち患者の撮影部位）に放射線を照射して放射線画像撮影を行う部屋であり、被写体に放射線を照射するための放射線発生装置５７の放射線源５２等が配置されている。なお、撮影室Ｒａは、放射線が室外に漏洩しないように鉛等でシールドされている。
【００２８】
［放射線画像撮影装置について］
ここで、放射線画像撮影システム５０で放射線画像撮影に用いられる放射線画像撮影装置１について説明する。図２は、放射線画像撮影装置の外観斜視図であり、図３は、図２のＸ−Ｘ線に沿う断面図である。なお、図２や図３等においては、各部の相対的な大きさ等は、実際の相対的な大きさ等が必ずしも反映されていない。
【００２９】
放射線画像撮影装置１は、図２や図３に示すように、放射線入射面Ｒを有する筐体２内にシンチレーター３やセンサー基板４等で構成されるセンサーパネルＳＰが収納されて構成されている。そして、筐体２の一方側の蓋部材２Ｂには、電源スイッチ３７や選択スイッチ３８、コネクター３９、バッテリー状態や放射線画像撮影装置１の稼働状態等を表示するＬＥＤ等で構成されたインジケーター４０等が配置されている。
【００３０】
また、筐体２の反対側の蓋部材２Ｃ等に、画像データ等を後述するコンソール５８（図１参照）に無線で送信するための通信手段であるアンテナ装置４１（後述する図５参照）が埋め込まれる等して配設されている。なお、コネクター３９に図示しないケーブルを取り付ける等して画像データ等をコンソール５８に有線方式で送信するように構成することも可能である。
【００３１】
図２に示すように、筐体２内には、基台３１が配置されており、基台３１の放射線入射面Ｒ側（以下、簡単に図中の上下方向にあわせて上面側等という。）に図示しない鉛の薄板等を介してセンサー基板４が設けられている。そして、センサー基板４の上面側に、照射された放射線を可視光等の光に変換するシンチレーター３が配置されるようにシンチレーター基板３４が設けられている。
【００３２】
また、基台３１の下面側には、電子部品３２等が配設されたＰＣＢ基板３３やバッテリー２４等が取り付けられている。このようにして、基台３１やセンサー基板４等でセンサーパネルＳＰが形成されている。また、本実施形態では、センサーパネルＳＰと筐体２の側面との間に緩衝材３５が設けられている。
【００３３】
本実施形態では、センサー基板４は、ガラス基板で構成されており、図４に示すように、センサー基板４のシンチレーター３に対向する側の面４ａ上には、複数の走査線５と複数の信号線６とが互いに交差するように配設されている。また、センサー基板４の面４ａ上の複数の走査線５と複数の信号線６により区画された各小領域ｒには、放射線検出素子７がそれぞれ設けられている。
【００３４】
本実施形態では、このように、放射線画像撮影装置１は、二次元状に配列された複数の放射線検出素子７を備えている。そして、本実施形態では、放射線検出素子７としてフォトダイオードが用いられているが、例えばフォトトランジスタ等を用いることも可能であり、放射線検出素子７は、照射された放射線（本実施形態の場合は、照射された放射線がシンチレーター３で変換された可視光）の量に応じてその内部で電荷を発生させるようになっている。
【００３５】
また、各放射線検出素子７にはそれぞれ、走査線５にオン電圧が印加されるとオン状態になって放射線検出素子７内の電荷を信号線６に放出させ、走査線５にオフ電圧が印加されるとオフ状態になって放射線検出素子７内で発生した電荷を放射線検出素子７内に蓄積させるスイッチ素子である薄膜トランジスター（Thin Film Transistor。以下、ＴＦＴという。）８が接続されている。
【００３６】
信号線６は、図示しない読み出しＩＣ内の各読み出し回路にそれぞれ接続されており、画像データＤの読み出し処理においては、上記のようにオン状態とされたＴＦＴ８を介して信号線６に放出された電荷が読み出し回路に流れ込み、読み出し回路で画像データＤに変換されるようになっている。そして、このようにして、放射線の照射により放射線画像撮影装置１の各放射線検出素子７内で発生した電荷が放射線検出素子７ごとに画像データＤとして読み出されるようになっている。
【００３７】
なお、本実施形態では、各放射線検出素子７が二次元状に配列された領域Ｐが検出部とされている。また、各放射線検出素子７にはバイアス線９を介して逆バイアス電圧が印加されるようになっており、図４に示すように、各バイアス線９は結線１０に接続されている。さらに、走査線５や信号線６、バイアス線９の結線１０等はそれぞれ入出力端子１１に接続されており、入出力端子１１を介し、図示しないフレキシブル回路基板等を介して前述した電子部品３２や読み出しＩＣ等に接続されている。
【００３８】
本実施形態では、放射線画像撮影装置１は、上記のようにして各放射線検出素子７から画像データＤを読み出すと、各画像データＤを図示しない記憶手段に保存するとともに、各画像データＤの中から一定の割合で画像データＤを抽出し、抽出したプレビュー画像用データＤｐをコンソール５８に送信するようになっている。
【００３９】
また、放射線画像撮影装置１は、プレビュー画像用データＤｐを送信するとともに、放射線が照射されない状態で上記の画像データＤの読み出し処理までの処理シーケンスと同じ処理シーケンスを繰り返し行って、各放射線検出素子７内に蓄積する暗電荷（暗電流等ともいう。）に起因するオフセットデータＯを放射線検出素子７ごとに読み出すオフセットデータＯの読み出し処理を行う。
【００４０】
そして、本実施形態では、放射線画像撮影装置１は、オフセットデータＯの読み出し処理を行うと、上記のプレビュー画像用データＤｐ以外の残りの画像データＤと、読み出したオフセットデータＯとをコンソール５８に送信するようになっている。
【００４１】
なお、本実施形態では、後述するように、放射線画像撮影装置１がブッキー装置５１に装填されている場合には、コネクター３９に接続されたブッキー装置５１のコネクター５１ｂ（図５、図６参照）を介して有線方式でプレビュー画像用データＤｐや画像データＤ、オフセットデータＯ等をコンソール５８に送信するようになっている。
【００４２】
また、後述するように、放射線画像撮影装置１がブッキー装置５１に装填されておらず単独で用いられている場合は、前述したアンテナ装置４１を介して無線方式でプレビュー画像用データＤｐ等をコンソール５８に送信するようになっている。さらに、データの送信順は、上記の順番に限定されない。
【００４３】
［放射線画像撮影システムにおける他の装置等について］
次に、放射線画像撮影システム５０における各装置等について説明する。図１に示すように、ブッキー装置５１は、本実施形態では、カセッテ保持部（カセッテホルダーともいう。）５１ａに可搬型の放射線画像撮影装置１を装填して用いることができるようになっている。
【００４４】
本実施形態では、図１に示すように、撮影室Ｒａには、ブッキー装置５１として立位撮影用のブッキー装置５１Ａと臥位撮影用のブッキー装置５１Ｂが設置されているが、例えば、立位撮影用のブッキー装置５１Ａのみ、或いは臥位撮影用のブッキー装置５１Ｂのみが設けられているような場合にも本発明は適用される。
【００４５】
また、本実施形態では、ブッキー装置５１は、カセッテ保持部５１ａに従来のＣＲカセッテを装填して用いることもできるように構成されており、撮影室ＲａにＣＲカセッテ用に設置されている既存のブッキー装置を用いることが可能である。
【００４６】
そのため、本実施形態では、前述した放射線画像撮影装置１が、ＣＲカセッテと同様の寸法になるように形成されている。すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１３ｍｍ〜１６ｍｍの範囲内になるように形成される。
【００４７】
そのため、本実施形態では、このＪＩＳ規格サイズのＣＲカセッテを装填することができるブッキー装置５１への装填使用を可能とするため、放射線画像撮影装置１も、ＣＲカセッテが準拠するスクリーンフィルム用のカセッテにおけるＪＩＳ規格に準拠した寸法で形成されている。なお、本発明は、ブッキー装置５１としてＣＲカセッテ用のブッキー装置を用いる場合に限定されない。
【００４８】
また、図５に示すように、例えばブッキー装置５１のカセッテ保持部５１ａの内部に、装填された放射線画像撮影装置１のコネクター３９（図２参照）と自動的に接続されるコネクター５１ｂを設けておくことが可能である。なお、図５では、立位撮影用のブッキー装置５１Ａの場合が示されているが、臥位撮影用のブッキー装置５１Ｂにおいても同様である。
【００４９】
また、ブッキー装置５１のカセッテ保持部５１ａの内部にコネクター５１ｂを設ける代わりに、図６に示すように、放射線画像撮影装置１をブッキー装置５１に装填する前にブッキー装置５１から延びるケーブルの先端に設けられたコネクター５１ｂを放射線画像撮影装置１のコネクター３９に接続し、その状態で放射線画像撮影装置１をブッキー装置５１のカセッテ保持部５１ａに装填するように構成することも可能である。
【００５０】
なお、放射線画像撮影装置１をブッキー装置５１に装填する際に、図６に示したように放射線画像撮影装置１とブッキー装置５１とを接続するように構成する場合には、放射線画像撮影装置１が、ブッキー装置５１から電力の供給を受けるように構成することが可能である。また、放射線画像撮影装置１を、ブッキー装置５１に装填されていない単独の状態で使用する場合には、バッテリー２４（図３参照）から放射線画像撮影装置１の各機能部に電力を供給される。
【００５１】
また、本実施形態では、ブッキー装置５１は、コネクター５１ｂ（図５や図６参照）と放射線画像撮影装置１のコネクター３９とが接続されると、放射線画像撮影装置１からその識別情報であるカセッテＩＤを読み出し、放射線画像撮影装置１のカセッテＩＤと自らの識別情報であるブッキーＩＤとを対応付けて、コンソール５８に送信するようになっている。
【００５２】
一方、図１に示すように、撮影室Ｒａには、被写体に放射線を照射する放射線発生装置５７の放射線源５２が少なくとも１つ設けられている。本実施形態では、放射線源５２のうち、１つの放射線源５２Ａは、例えば撮影室Ｒａの天井からつり下げられて配置されるようになっており、撮影時にはコンソール５８からの指示に基づいて起動され、図示しない移動手段により所定の位置にまで移動されるようになっている。
【００５３】
また、放射線源５２の放射線の照射方向や位置等を変えることで、１つの放射線源５２から立位撮影用のブッキー装置５１Ａや臥位撮影用のブッキー装置５１Ｂに装填された放射線画像撮影装置１に対して放射線を照射することができるように構成することが可能である。また、立位撮影用のブッキー装置５１Ａや臥位撮影用のブッキー装置５１Ｂに、それぞれ対応する放射線源５２を設けるように構成することも可能である。
【００５４】
また、図１に示すように、立位撮影用や臥位撮影用のブッキー装置５１Ａ、５１Ｂには対応付けられていないポータブルの放射線源５２Ｂを持ち込んで撮影を行うように構成することも可能である。その際、ポータブルの放射線源５２Ｂは、撮影室Ｒａ内の任意の場所にも持ち運びでき、任意の方向に放射線を照射することが可能である。
【００５５】
そして、放射線画像撮影装置１を単独の状態（すなわちブッキー装置５１に装填しない状態）で被写体である患者の身体の部分にあてがったり、臥位撮影用のブッキー装置５１Ｂの天板や図示しないベッドと患者の身体との間に差し込んだりした状態で、ポータブルの放射線源５２Ｂを用いて、適切な距離や方向から放射線を照射することができるようになっている。
【００５６】
前述したように、撮影室Ｒａは鉛等でシールドされているため、撮影室Ｒａ内で放射線画像撮影装置１からアンテナ装置４１を介して画像データＤ等の情報を送受信しようとしても、そのままでは送受信できない。そこで、本実施形態では、図１に示すように、撮影室Ｒａ内に、放射線画像撮影装置１等の撮影室Ｒａ内の装置とコンソール５８等の撮影室Ｒａ外の装置とが無線方式や有線方式で通信する際にこれらの通信を中継するアクセスポイント５３を備えた中継器（基地局等ともいう。）５４が設けられている。
【００５７】
そして、中継器５４には、放射線画像撮影装置１やコンソール５８等から放射線発生装置５７に送信するＬＡＮ（Local Area Network）通信用の信号等を放射線発生装置５７用の信号等に変換し、また、その逆の変換等も行う図示しない変換器が内蔵されている。
【００５８】
また、本実施形態では、中継器５４には、クレードル５５が接続されている。図７に示すように、撮影室Ｒａに持ち込まれた放射線画像撮影装置１がクレードル５５に挿入されて、放射線画像撮影装置１のコネクター３９とクレードル５５のコネクター５５ａとが接続されると、放射線画像撮影装置１からカセッテＩＤが、クレードル５５を介して中継器５４に通知されるようになっている。そして、中継器５４は、クレードル５５から放射線画像撮影装置１のカセッテＩＤが送信されてくると、カセッテＩＤをコンソール５８に通知するようになっている。
【００５９】
なお、クレードル５５は、通常、放射線画像撮影装置１等を保管したり充電するために用いられるものであり、本実施形態においても、クレードル５５が充電等の機能を有するように構成することも可能である。さらに、図７では、放射線画像撮影装置１を挿入する挿入口が２個設けられたクレードル５５が示されているが、挿入口は１個でもよく、或いは３個以上設けられていてもよい。
【００６０】
また、クレードル５５は撮影室Ｒａと前室Ｒｂのいずれに設置されてもよく、撮影室Ｒａに設置される場合には、放射線発生装置５２から照射される放射線が到達しない位置、すなわち、例えば撮影室Ｒａのコーナーの位置等に設置される。
【００６１】
撮影室Ｒａや前室Ｒｂに持ち込まれた放射線画像撮影装置１を検知してコンソール５８にカセッテＩＤを通知する検知手段として、本実施形態のようにクレードル５５を用いる代わりに、図８に示すように、例えば前室Ｒｂの扉付近にタグリーダー６０を設けるように構成することも可能である。
【００６２】
この場合、予め、放射線画像撮影装置１内に、いわゆるＲＦＩＤ（Radio Frequency Identification）タグ等の図示しないタグを内蔵させておき、タグに放射線画像撮影装置１のカセッテＩＤ等の固有情報を記憶させておく。そして、放射線画像撮影装置１がタグリーダー６０の近傍を通過して撮影室Ｒａや前室Ｒｂに持ち込まれる際に、タグリーダー６０で放射線画像撮影装置１のタグからカセッテＩＤ等の情報を読み取り、そのカセッテＩＤをコンソール５８に通知するように構成することが可能である。
【００６３】
図１に示すように、前室（操作室等ともいう。）Ｒｂには、放射線源５２に対して放射線の照射開始等を指示するための曝射スイッチ５６等を備えた放射線発生装置５７が設けられている。放射線発生装置５７は、管電圧や管電流、照射時間等が設定されると、放射線源５２に設定された管電圧や管電流を供給して起動させ、放射線源５２から設定された照射時間だけ管電圧等に応じた線量の放射線を照射させるようになっている。
【００６４】
なお、放射線発生装置５７への管電圧等の設定は、放射線発生装置の操作卓５７上でも行うことができるが、本実施形態では、コンソール５８上でも設定できるようになっている。
【００６５】
コンソール５８は、本実施形態では前室Ｒｂに設けられており、図示しないＣＰＵ（Central Processing Unit）やＲＯＭ（Read Only Memory）、ＲＡＭ（Random Access Memory）、入出力インターフェース等がバスに接続されたコンピューター等で構成されている
。ＲＯＭには所定のプログラムが格納されており、コンソール５８は、必要なプログラムを読み出してＲＡＭの作業領域に展開してプログラムに従って各種処理を実行するようになっている。なお、コンソール５８を汎用のコンピューターで構成せず、例えば専用の装置で構成することも可能である。
【００６６】
コンソール５８には、ＣＲＴ（Cathode Ray Tube）やＬＣＤ（Liquid Crystal Display）等からなる表示部５８ａが設けられており、その他、キーボードやマウス等の図示しない入力手段等が接続されている。また、コンソール５８には、ハードディスク等で構成された記憶手段５９が接続されており、その他、図示を省略するが、他のコンピューターや、コンソール５８から出力された画像データに基づいて放射線画像をフィルムなどの画像記録媒体に記録して出力するイメージャ等の外部機器が、ＬＡＮ等を介して接続されている。
【００６７】
コンソール５８は、前述したように、撮影室Ｒａに持ち込まれた放射線画像撮影装置１が挿入されて、放射線画像撮影装置１のカセッテＩＤ等がクレードル５５やタグリーダー６０から中継器５４を介して送信されてくると、そのカセッテＩＤを記憶手段５９に保存して、そのカセッテＩＤを有する放射線画像撮影装置１が撮影室Ｒａ或いは前室Ｒｂ内に持ち込まれたことを認識して管理するようになっている。
【００６８】
また、コンソール５８は、前述したように、放射線画像撮影装置１がコネクター５１ｂと接続されたブッキー装置５１から、放射線画像撮影装置１のカセッテＩＤとブッキーＩＤとが送信されてくると、記憶手段５９に保存されている当該カセッテＩＤに、ブッキーＩＤを対応付けて保存するようになっている。
【００６９】
また、放射線画像撮影装置１とブッキー装置５１のコネクター５１ｂとの接続が解除された場合には、記憶手段５９に保存されている当該放射線画像撮影装置１のカセッテＩＤとブッキーＩＤとの対応付けを解除して、カセッテＩＤのみを保存するようになっている。
【００７０】
このようにして、コンソール５８は、放射線画像撮影装置１が、ブッキー装置５１に装填されて用いられる場合には、どの放射線画像撮影装置１がどのブッキー装置５１に装填されているか、或いは装填されていないかを認識して管理するようになっている。また、ＣＲカセッテがブッキー装置５１に装填された場合には、ＣＲカセッテに付与されているバーコードを読み取って、どのＣＲカセッテがどのブッキー装置５１に装填されているかを認識して管理するようになっている。
【００７１】
また、コンソール５８には、図示しないＨＩＳ（Hospital Information System；病院情報システム）やＲＩＳ（Radiology Information System；放射線科情報システム）がネットワークを介して接続されている。ＨＩＳには患者の情報が、また、ＲＩＳには予め個々の患者に対して所定の放射線画像撮影を行うために必要な情報が設定された撮影オーダー情報が登録されるようになっている。
【００７２】
撮影オーダー情報は、例えば図１０に例示するように、患者情報としての「患者ＩＤ」Ｐ２、「患者氏名」Ｐ３、「性別」Ｐ４、「年齢」Ｐ５、「診療科」Ｐ６、および撮影条件としての「撮影部位」Ｐ７、「撮影方向」Ｐ８等で構成されるようになっている。また、本実施形態では、さらに放射線画像撮影装置１をブッキー装置５１に装填した状態で撮影を行うか否かの情報として「ブッキーＩＤ」Ｐ９の項目が設けられており、ブッキー装置５１に装填する場合にはそのブッキーＩＤを記載するようになっている。
【００７３】
図９に示した例では、ブッキーＩＤ「００１」、「００２」はそれぞれ立位撮影用のブッキー装置５１Ａおよび臥位撮影用のブッキー装置５１Ｂを表し、ブッキーＩＤ「００３」は、放射線画像撮影装置１をブッキー装置５１に装填せずに単独の状態で用いることを表している。なお、上記のブッキーＩＤに替えて、見ればすぐ分かるようにするために、例えば、立位撮影用ブッキー装置や臥位撮影用ブッキー装置、単独の状態の放射線画像撮影装置等を表す図柄を撮影オーダー情報のＰ９の欄に記載するように構成することも可能である。
【００７４】
また、撮影オーダーが登録された順に、各撮影オーダー情報に対して「撮影オーダーＩＤ」Ｐ１が自動的に割り当てられるようになっている。なお、撮影オーダー情報に書き込む患者情報や撮影条件の内容は、上記のものに限定されず、例えば、患者の生年月日、診察回数、放射線の線量、太っているか痩せているか等の情報を含むように構成することも可能である。
【００７５】
コンソール５８は、放射線技師等の作業者の操作により、撮影オーダー情報等がＲＩＳやＨＩＳに登録されている場合には、ＲＩＳやＨＩＳから必要な撮影オーダー情報等を入手するようになっている。なお、撮影オーダー情報を、ＲＩＳやＨＩＳからではなく、専用端末を用いてコンソール５８自体に登録（入力）するように構成することも可能であり、その場合には、コンソール５８は、撮影オーダー情報が登録（入力）されて記憶された記憶手段５９から撮影オーダー情報を入手する。
【００７６】
そして、コンソール５８は、撮影オーダー情報を入手すると、コンソール５８の表示部５８ａに、図１０に示すように、撮影オーダー情報の一覧を選択画面Ｈ１として表示するようになっている。なお、以下では、一の患者に関する複数の撮影オーダー情報を表示する場合について説明する。
【００７７】
本実施形態では、選択画面Ｈ１には、各撮影オーダー情報の一覧を表示するための撮影オーダー情報表示欄ｈ１１が設けられており、撮影オーダー情報表示欄ｈ１１の左側には、撮影する予定の撮影オーダー情報を選択するための選択ボタンｈ１２が各撮影オーダー情報に対応して設けられている。また、撮影オーダー情報表示欄ｈ１１の下側には、決定ボタンｈ１３及び戻るボタンｈ１４が設けられている。
【００７８】
そして、例えば、放射線技師等の作業者が選択ボタンｈ１２をクリックして、例えば４つの撮影オーダー情報を全て選択して、決定ボタンｈ１３をクリックすると、本実施形態では、コンソール５８は、表示部５８ａ上に、図１１に示すような画面Ｈ２を表示するようになっている。
【００７９】
この場合、例えば、画面Ｈ２の中央には、コンソール５８が生成したプレビュー画像ｐ_preや放射線画像ｐ等が表示される表示ワーキングスペースＳが設けられている。また、画面Ｈ２の右側には、コンソール５８が生成した放射線画像ｐに対して、放射線技師等の作業者がさらに画像の明暗やコントラスト等を微調整する等して放射線画像ｐの画質を調整するための、すなわち前述した放射線画像ｐに対する画質調整処理を行うための各種のボタンアイコンＢＩが表示されるようになっている。
【００８０】
なお、本実施形態では、このボタンアイコンＢＩは、表示ワーキングスペースＳが有効とされている（すなわち表示されている）場合にのみ、表示されるように構成されている。なお、この他にも、例えば、このボタンアイコンＢＩを、常時表示されているが、表示ワーキングスペースＳが有効とされている場合にのみ、ボタンアイコンＩに対する操作が有効とされるように構成することも可能である。
【００８１】
画面Ｈ２の左側には、選択画面Ｈ１（図１０参照）上で選択された撮影オーダー情報に対応するアイコンＩが例えば縦方向に並べて表示されるようになっている。そして、本実施形態では、各アイコンＩには、当該アイコンＩに対応する撮影オーダー情報における「撮影部位」Ｐ７や「撮影方向」Ｐ８等（図１０等参照）の撮影条件が記載されるようになっている。なお、図１１では、各アイコンＩを「撮影オーダーＩＤ」Ｐ１（図１０等参照）の順番すなわち登録順に並べた場合が示されているが、他の順序に従って並べてもよい。また、各アイコンＩを縦方向に並べて表示する場合に限定されず、各アイコンＩの表示の仕方は適宜決められる。
【００８２】
また、各アイコンＩに隣接する位置やアイコンＩの内部等に、当該アイコンＩに対応する撮影オーダー情報に基づいて行われた撮影で得られたプレビュー画像用データＤｐや画像データＤ等に基づいて生成されたプレビュー画像ｐ_preや放射線画像ｐのサムネイル（thumbnail）画像ｐｔ等を表示するスペースＳｔが設けられている。
【００８３】
そして、コンソール５８は、現在行っている撮影に関する撮影オーダー情報に対応するアイコンＩを、他のアイコンＩとは異なる態様でフォーカス表示するようになっている。具体的には、本実施形態では、図１１に示すように、アイコンＩの周囲を枠で囲ってフォーカス表示するようになっている。なお、図１１では、枠を黒く表示してフォーカス表示するように記載されているが、実際には、画面Ｈ２全体やアイコンＩが黒や濃いグレーで表示されており、その周囲を明るい色の枠で囲ってフォーカス表示することで、放射線技師等の作業者がフォーカスされているアイコンＩを容易かつ的確に認識することができるようになっている。
【００８４】
なお、アイコンＩのフォーカス表示の仕方は、上記のようにアイコンＩを枠で囲う場合に限らず、例えば前述したようにアイコンＩを他のアイコンＩとは異なる色で着色して表示したり、フォーカス表示するアイコンＩを点滅させたり、フォーカス表示するアイコンＩの画面Ｈ２上での表示位置を変えたり、或いはズームアップして表示するなど、フォーカス表示の仕方は特定の仕方に限定されない。
【００８５】
そして、コンソール５８は、現在行っている撮影が終了すると、アイコンＩのフォーカス表示を、それまで行っていた撮影に関する撮影オーダー情報に対応するアイコンＩから、次の撮影に関する撮影オーダー情報に対応するアイコンＩ（以下、簡単に次の撮影のアイコンＩという。）に遷移させるようになっている。
【００８６】
この場合、例えばアイコンＩのフォーカス表示を撮影オーダー情報の登録順すなわち「撮影オーダーＩＤ」Ｐ１（図１０等参照）の順に遷移させるように構成することも可能である。本実施形態では、コンソール５８は、前述した特許文献２に記載されている方法でアイコンＩのフォーカス表示を遷移させるようになっている。すなわち、コンソール５８は、放射線画像撮影装置１が現在どのブッキー装置５１に装填されているかや、放射線発生装置５７のどの放射線源５２（図１参照）が起動しているか、或いはどのブッキー装置５１に放射線を照射できる状態になっているか等を判断して、それぞれの現在の状態を変えないで撮影を行うことができ、或いは、変更の程度が最も少ない状態で撮影を行うことができる撮影に対応するアイコンＩを選択してフォーカス表示するようになっている。
【００８７】
なお、これらの点については、特許文献２に詳述されており、詳しくは同文献を参照されたい。また、アイコンＩのフォーカス表示の遷移のさせ方は、上記の例に限定されず、適宜決められる。
【００８８】
また、コンソール５８は、アイコンＩのフォーカス表示を上記のようにして自動的に遷移させるように構成されるが、例えば放射線技師等の作業者がアイコンＩをクリックする等して特定のアイコンＩをフォーカス表示させる操作を行った場合には、コンソール５８が自動的に選択したアイコンＩではなく、作業者により指示されたアイコンＩをフォーカス表示させるように構成される。
【００８９】
そして、コンソール５８は、アイコンＩのフォーカス表示を自動的に遷移させ、或いは上記のように作業者の指示に従ってアイコンＩをフォーカス表示させると、フォーカス表示させたアイコンＩに対応する撮影オーダー情報に指定された撮影条件（すなわち「撮影部位」Ｐ７や「撮影方向」Ｐ８等）に基づいて、放射線発生装置５７（図１参照）に所定の管電圧や照射時間（管電流を設定する必要があれば管電流）の情報を送信する。本実施形態では、このようにして、コンソール５８は、アイコンＩのフォーカス表示を遷移させるごとに、フォーカス表示が遷移されたアイコンＩに対応する撮影オーダー情報に基づいて放射線発生装置５７に対する管電圧等の設定を自動的に行うようになっている。
【００９０】
なお、放射線発生装置５７は、コンソール５８により管電圧等が設定されると、放射線技師等の作業者の操作を待つことなく、放射線源５２が起動していなければ起動させたり、管電圧等を変更する必要があれば変更する等して、フォーカス表示が遷移されたアイコンＩに対応する撮影オーダー情報で指定される撮影を速やかに行うことができるように準備する。このように構成すると、コンソール５８による管電圧等の設定によって、作業者が準備しなくても、放射線発生装置５７が自動的に次の撮影の準備を行うため、作業者が即座に次の撮影にとりかかることが可能となり、次の撮影を速やかに行うことが可能となるといった効果がある。
【００９１】
本実施形態では、上記のようにしてコンソール５８の画面Ｈ２上でフォーカス表示されたアイコンＩに対応する撮影オーダー情報で指定された撮影が行われ、放射線画像撮影装置１からプレビュー画像用データＤｐが送信されてくると、コンソール５８は、プレビュー画像用データＤｐに基づいてプレビュー画像ｐ_preを生成する。そして、生成したプレビュー画像ｐ_preを画面Ｈ２の中央の表示ワーキングスペースＳに表示するようになっている。
【００９２】
そして、コンソール５８は、プレビュー画像ｐ_preを表示すると、すぐに放射線画像ｐの生成処理に移る。また、コンソール５８は、プレビュー画像ｐ_preを所定時間表示する間に、放射線技師等の作業者が画面Ｈ２上の図示しない「再撮影」ボタンアイコンがクリックする等して再撮影を行うことが指示されない場合には、作業者によりプレビュー画像ｐ_preが承認されたと判断するようになっている。
【００９３】
なお、表示されたプレビュー画像ｐ_preを見た放射線技師等の作業者が、例えば図示しない「ＯＫ」ボタンアイコンをクリックする等することで、上記の所定時間が経過するのを待たずにプレビュー画像ｐ_preを承認することもできるように構成することも可能である。
【００９４】
また、表示されたプレビュー画像ｐ_preを見た作業者がプレビュー画像ｐ_preを承認せず、再撮影を指示した場合には、コンソール５８は、放射線画像撮影装置１に対して、その時点で行っている動作を停止して、各放射線検出素子７のリセット処理等の再撮影に向けた処理を開始するように指示を出す。また、当該撮影で放射線画像撮影装置１から送信されてきたプレビュー画像用データＤｐや画像データＤは不要であるから記憶手段５９（図１参照）から削除する等の処理を行う。
【００９５】
また、コンソール５８が前述したアイコンＩの近傍等に設けられたスペースＳｔにプレビュー画像ｐ_preのサムネイル画像ｐｔを表示するタイミングは、例えば図１２に示すように、画面Ｈ２の中央の表示ワーキングスペースＳにプレビュー画像ｐ_preを表示するのと同時でもよく、また、上記のようにプレビュー画像ｐ_preが画面Ｈ２の中央の表示ワーキングスペースＳに表示されてから所定時間が経過し、作業者によりプレビュー画像ｐ_preが承認されたと見なされた時点で表示するように構成することも可能である。
【００９６】
そして、コンソール５８は、上記のように、プレビュー画像ｐ_preを生成して上記のスペースＳｔにそのサムネイル画像ｐｔを表示すると、続いて送信されてきた画像データＤ等に基づいて放射線画像ｐの生成処理を行う。そして、放射線画像ｐを生成すると、生成した放射線画像ｐのサムネイル画像ｐｔを、上記のスペースＳｔに表示されているプレビュー画像ｐ_preのサムネイル画像ｐｔ上に上書きして表示するようになっている。
【００９７】
［本発明に特有の構成について］
一方、コンソール５８は、前述したアイコンＩのフォーカス表示と同様に、プレビュー画像ｐ_preや放射線画像ｐのサムネイル画像ｐｔもフォーカス表示する。すなわち、プレビュー画像ｐ_preや生成した放射線画像ｐのサムネイル画像ｐｔを、その周囲を枠で囲う等して、他のサムネイル画像ｐｔとは異なる態様でフォーカス表示するようになっている。
【００９８】
また、コンソール５８は、現在行っている放射線画像ｐの生成処理が終了すると、画面Ｈ２の中央の表示ワーキングスペースＳに放射線画像ｐを上書き表示し、スペースＳｔに表示されているプレビュー画像ｐ_preのサムネイル画像ｐｔ上に放射線画像ｐのサムネイル画像ｐｔを上書きして表示する。
【００９９】
そして、コンソール５８は、表示ワーキングスペースＳに上書き表示された放射線画像ｐに対し、図示しない確定ボタンが操作されると（すなわち例えば図示しない「ＯＫ」ボタンアイコンがクリックされると）、サムネイル画像ｐｔのフォーカス表示を、次の撮影で得られる画像データＤに基づいて生成するプレビュー画像ｐ_preや放射線画像ｐのサムネイル画像を表示するスペースＳｔの位置に遷移させるようになっている。
【０１００】
また、本実施形態では、上書き表示された放射線画像ｐが表示ワーキングスペースＳに表示されてから所定時間が経過した時点で、作業者により当該画像が確定されたとものと見なし（以下、「見なし確定」という場合がある。）、サムネイル画像ｐｔのフォーカス表示を、次の撮影で得られる画像データＤに基づいて生成するプレビュー画像ｐ_preや放射線画像ｐのサムネイル画像ｐｔを表示するスペースＳｔの位置に遷移させるようになっ
ている。
【０１０１】
なお、本実施形態では、このように放射線画像ｐの見なし確定が行われた場合でも、放射線画像ｐが撮影オーダー情報に対応付けられるようになっている。
【０１０２】
そして、コンソール５８は、アイコンＩのフォーカス表示の遷移とサムネイル画像ｐｔのフォーカス表示の遷移とを同時に行う第１遷移モードと、アイコンＩのフォーカス表示の遷移とサムネイル画像ｐｔのフォーカス表示の遷移とをそれぞれ独立に行うことが可能な第２遷移モードとの２つのモードを有しており、フォーカス表示の遷移モードを、第１遷移モードと第２遷移モードとの間で切り替えることができるように構成されている。
【０１０３】
以下、各モードにおけるアイコンＩやサムネイル画像ｐｔのフォーカス表示の遷移の仕方について具体的に説明する。
【０１０４】
コンソール５８は、フォーカス表示の遷移モードとして第１遷移モードが設定された場合、前述したように、アイコンＩのフォーカス表示の遷移とサムネイル画像ｐｔのフォーカス表示の遷移とを同時に行うように画面Ｈ２における表示の仕方を制御する。
【０１０５】
この場合、例えば図１２に示す状態で、画面Ｈ２上にプレビュー画像ｐ_preが所定時間表示される間に「再撮影」ボタンアイコンがクリックされない等してプレビュー画像ｐ_preが承認されても、すぐにはアイコンＩのフォーカス表示を次の撮影のアイコンＩには遷移させずに、図１２に示した状態を維持する。
【０１０６】
そして、コンソール５８は、放射線画像ｐの生成処理が完了すると、画面Ｈ２の中央の表示ワーキングスペースＳに表示されたプレビュー画像ｐ_preを生成した放射線画像ｐで上書き表示し、アイコンＩの近傍等のスペースＳｔに表示されたプレビュー画像ｐ_preのサムネイル画像ｐｔを生成した放射線画像ｐのサムネイル画像ｐｔで上書き表示する。
【０１０７】
そして、前述したように、コンソール５８は、画面Ｈ２の表示ワーキングスペースＳに放射線画像ｐに対して、放射線技師等の作業者が、画質調整用のボタンアイコンＢＩを操作する等して画質調整した後、或いは画質調整の必要がないと判断した場合には画質調整用のボタンアイコンＢＩを操作せずに、確定ボタンを操作すると（すなわち例えば「ＯＫ」ボタンアイコンをクリックすると）、直ちに放射線画像ｐを確定して撮影オーダー情報に対応付ける。
【０１０８】
そして、例えば図１３に示すように、アイコンＩのフォーカス表示を次の撮影（すなわち前述したように撮影オーダー情報の登録順や前回の撮影状態からの変更規模が最小となるように遷移させる場合の次の撮影。以下同様。）のアイコンＩに遷移させ、それと同時に、サムネイル画像ｐｔのフォーカス表示を、上記の次の撮影のアイコンＩの近傍等のサムネイル画像ｐｔを表示するスペースＳｔの位置に遷移させるように構成される。
【０１０９】
また、前述したように、画面Ｈ２の表示ワーキングスペースＳに放射線画像ｐを表示しても放射線技師等の作業者により画質調整用のボタンアイコンＢＩが操作されたり図示しない「ＮＧ」ボタンがクリックされる等しない場合には、放射線画像ｐを表示してから所定時間が経過して初めて、図１３に示したように、アイコンＩのフォーカス表示とサムネイル画像ｐｔのフォーカス表示を、次の撮影のアイコンＩの位置や、次の撮影のアイコンＩの近傍等のサムネイル画像ｐｔを表示するスペースＳｔの位置に遷移させるように構成される。
【０１１０】
なお、このようにフォーカス表示の遷移モードとして第１遷移モードが設定された場合、前述したように、放射線技師等の作業者がアイコンＩ或いはサムネイル画像ｐｔが表示されていない未撮影状態のスペースＳｔをクリックする等して特定のアイコンＩ或いは未撮影状態のスペースＳｔにフォーカス表示を遷移させる操作を行った場合も、コンソール５８は、作業者により指示されたアイコンＩと、当該アイコンＩの近傍等のサムネイル画像ｐｔを表示するスペースＳｔの位置にそれぞれフォーカス表示を同時に遷移させる。
【０１１１】
また、この場合、アイコンＩのフォーカス表示の遷移とサムネイル画像ｐｔのフォーカス表示の遷移とが同時に行われた時点で、コンソール５８が、次の撮影のアイコンＩに対応する撮影オーダー情報に指定された撮影条件に基づいて、放射線発生装置５７（図１参照）に所定の管電圧等の情報を送信して、放射線発生装置５７に対する管電圧等の設定を行うことになる。
【０１１２】
一方、コンソール５８は、フォーカス表示の遷移モードとして第２遷移モードが設定された場合は、前述したように、アイコンＩのフォーカス表示の遷移とサムネイル画像ｐｔのフォーカス表示の遷移とをそれぞれ独立に行うように画面Ｈ２における表示の仕方を制御する。
【０１１３】
この場合、例えば図１２に示す状態で、画面Ｈ２上にプレビュー画像ｐ_preが所定時間表示される間に「再撮影」ボタンアイコンがクリックされない等してプレビュー画像ｐ_preが承認されると、その時点ですぐにアイコンＩのフォーカス表示を次の撮影のアイコンＩに遷移させる。しかし、この時点では、まだ放射線画像ｐが生成されていないため、サムネイル画像ｐｔのフォーカス表示の遷移は行われない。そのため、この場合は、図１４（Ａ）に示すように、まず、アイコンＩのフォーカス表示が次の撮影のアイコンＩに遷移されることになる。
【０１１４】
なお、アイコンＩのフォーカス表示を遷移させる方法については、既に述べたように、撮影オーダー情報の登録順に遷移させるように構成することも可能であり、また、前回の撮影状態からの変更規模が最小となるように、例えば、同一のブッキー装置を使用する撮影に遷移させるなど、適宜決められる。
【０１１５】
そして、コンソール５８は、放射線画像ｐの生成処理が完了して放射線画像ｐを画面Ｈ２の中央の表示ワーキングスペースＳに上書き表示し、アイコンＩの近傍等のスペースＳｔにそのサムネイル画像ｐｔを上書き表示する。そして、所定時間が経過しても放射線技師等の作業者により「ＮＧ」ボタンがクリックされる等しない場合に、図１４（Ｂ）に示すように、次の撮影のアイコンＩの近傍等のサムネイル画像ｐｔを表示するスペースＳｔの位置にフォーカス表示を遷移させるように構成される。
【０１１６】
なお、この場合、アイコンＩのフォーカス表示の遷移が行われた時点（図１４（Ａ）参照）で、コンソール５８が、次の撮影のアイコンＩに対応する撮影オーダー情報に指定された撮影条件に基づいて、放射線発生装置５７に所定の管電圧等の情報を送信して、放射線発生装置５７に対する管電圧等の設定を行うことになる。
【０１１７】
また、この場合、前述したように、放射線技師等の作業者が、アイコンＩをクリックする等して特定のアイコンＩにフォーカス表示を遷移させる操作や、サムネイル画像ｐｔをクリックする等して特定のサムネイル画像ｐｔにフォーカス表示を遷移させる操作を行った場合にも、コンソール５８は、作業者により指示されたアイコンＩやサムネイル画像ｐｔにフォーカス表示をそれぞれ独立に遷移させる。
【０１１８】
ただし、本実施形態では、第１遷移モードの場合も第２遷移モードの場合も、サムネイル画像ｐｔの表示されていない未撮影状態のスペースＳｔを作業者がクリックしてフォーカス表示を遷移させた場合には、作業者がフォーカス表示させたスペースＳｔに対応する撮影オーダー情報の実行を開始する意図であると見なして、アイコンＩについても、当該スペースＳｔに対応するアイコンＩにフォーカス表示を遷移させるようになっている。
【０１１９】
さらに、上記の第１遷移モードおよび第２遷移モードのいずれの場合においても、放射線技師等の作業者は、必要があれば画面Ｈ２上で前述した放射線画像ｐの画質調整処理を行う等した後で、放射線画像ｐが診断提供用の医用画像に適した画像であると判断できる場合には、画面Ｈ２上の図示しない「ＯＫ」ボタンアイコンをクリックする等して放射線画像ｐを確定させる。
【０１２０】
そして、このようにして作業者により放射線画像ｐが確定されると、コンソール５８は、当該放射線画像ｐを撮影する基となった撮影オーダー情報（すなわち当該放射線画像ｐのサムネイル画像ｐｔに隣接するアイコンＩに対応する撮影オーダー情報）に当該放射線画像ｐを対応付けて記憶手段５９（図１参照）に一時的に保存する。
【０１２１】
そして、コンソール５８は、撮影ごとや一連の撮影が終了した時点等の設定されたタイミングで、撮影オーダー情報に対応付けられた放射線画像ｐ等を、ＰＡＣＳ（Picture Archiving and Communication System）やＱＡ（Quality Assurance）ステーション等の定められた場所に送信するなど撮影後の処理を適宜行うように構成される。
【０１２２】
［作用］
次に、上記のように構成された本実施形態に係る放射線画像撮影システム５０やコンソール５８（図１参照）の作用について説明する。なお、以下では、第１遷移モードや第２遷移モードを適用するのに適したシチュエーションを例に挙げて説明する。
【０１２３】
［例１］
例えば、放射線画像撮影システム５０等を使用する放射線技師等の作業者が、前述した作業に不慣れな作業者であり、コンソール５８のフォーカス表示の遷移モードとして、上記の第２遷移モード、すなわちアイコンＩのフォーカス表示とサムネイル画像ｐｔのフォーカス表示とがそれぞれ独立に遷移するモードしかない場合を考える。
【０１２４】
この場合、作業者が撮影を行う撮影室Ｒａとコンソール５８が設けられた前室Ｒｂ（図１参照）とを行き来する間に、アイコンＩとサムネイル画像ｐｔのフォーカス表示とがいわばバラバラに遷移する状態になる。そのため、前述したように、作業に不慣れな作業者が、どの画像まで画質調整を行い、どの画像で画質調整を行っていないか等が分からなってしまう可能性がある。また、マニュアル操作で画像を入れ替えし、画像と撮影オーダー情報との対応付けを間違えてしまう虞れもある。
【０１２５】
そこで、このような場合、放射線画像撮影システム５０やコンソール５８が本実施形態のように構成されていれば、コンソール５８のフォーカス表示の遷移モードとして、上記の第１遷移モードを選択して設定することで、図１３に示したように、コンソール５８がアイコンＩのフォーカス表示の遷移とサムネイル画像ｐｔのフォーカス表示の遷移とを同時に行うように設定することができる。
【０１２６】
そして、このように設定すれば、コンソール５８の画面Ｈ２上に表示されたプレビュー画像ｐ_preが承認されても、アイコンＩやサムネイル画像ｐｔのフォーカス表示がすぐには遷移せず、今行った撮影のアイコンＩがフォーカス表示された状態が維持される。そのため、作業に不慣れな作業者であっても、コンソール５８が今どのアイコンＩに対応する放射線画像ｐの生成処理を行っているかが分かり、画面Ｈ２の中央の表示ワーキングスペースＳに放射線画像ｐが表示されると、それがフォーカス表示されているアイコンＩに対応する撮影オーダー情報に基づいて行われた放射線撮影で撮影された放射線画像ｐであると分かる。
【０１２７】
そのため、作業者は、コンソール５８の画面Ｈ２上に表示された放射線画像ｐを見て、必要があれば前述した放射線画像ｐの画質調整処理を行う等した後、放射線画像ｐを的確に確定させることが可能となる。そのため、作業に不慣れな作業者であっても、フォーカス表示されているアイコンＩに対応する撮影オーダー情報に、確定した放射線画像ｐを的確に対応付けることが可能となる。
【０１２８】
このように、この［例１］の放射線画像撮影システム５０やコンソール５８によれば、作業に不慣れな作業者であっても、フォーカス表示の遷移モードとして第１遷移モードを設定することで、放射線画像ｐに的確に画質調整を行う等して、放射線画像ｐを撮影オーダー情報に確実に対応付けることが可能となる。しかも、作業に不慣れな作業者が、安心して上記の作業を行うことが可能となるとともに、放射線画像ｐと撮影オーダー情報との対応付けを誤ったり画質調整をし忘れる等の問題が生じることを的確に防止することが可能となり、そのような作業者にとって放射線画像撮影システム５０やコンソール５８が使い易いものとなる。
【０１２９】
［例２］
一方、放射線画像撮影システム５０等を使用する放射線技師等の作業者が、前述した作業に慣れた作業者である場合、コンソール５８の画面Ｈ２上に表示されたプレビュー画像ｐ_preを見て再撮影の要否だけを確認し、放射線画像ｐの確定指示は後回しにして先に一連の撮影を行ってしまう。そして、後でまとめて放射線画像ｐの確定指示を行いたいと考える場合が少なくない。そして、そのように処理する方が、被写体である患者の待ち時間も少なくなり撮影が早期に終了するため、患者にとっても都合がよい。
【０１３０】
そこで、このような場合に、放射線画像撮影システム５０やコンソール５８が本実施形態のように構成されていれば、コンソール５８のフォーカス表示の遷移モードとして、上記の第２遷移モード（図１４（Ａ）、（Ｂ）参照）を選択して設定することで、前述したように次の撮影に向けて放射線発生装置５７に対する管電圧等の設定をより早期に行うことが可能となり、撮影を次々と行うことが可能となる。
【０１３１】
すなわち、前述したように、フォーカス表示の遷移モードとして第１遷移モードが設定されると（例えば上記の［例１］参照）、コンソール５８は、まず、プレビュー画像ｐ_preを表示させ、所定時間が経過し、さらに放射線画像ｐを生成して表示してから所定時間が経過しないとアイコンＩのフォーカス表示を次の撮影のアイコンＩに遷移させない。そのため、次の撮影のための管電圧等の情報を放射線発生装置５７に送信するタイミングが、放射線画像ｐを表示してから所定時間が経過した後ということになる。
【０１３２】
それに対し、この［例２］の場合のようにフォーカス表示の遷移モードとして第２遷移モードが設定されると、コンソール５８は、プレビュー画像ｐ_preを表示してから所定時間が経過した時点で（放射線画像ｐの生成、表示を待たずに）アイコンＩのフォーカス表示を次の撮影のアイコンＩに遷移させる。
【０１３３】
そのため、次の撮影のための管電圧等の情報を放射線発生装置５７に送信するタイミングが、第１遷移モードの場合に比べて早くなる。そして、プレビュー画像ｐ_preを見て確認した作業者が撮影室Ｒａに移動した時点では、放射線発生装置５７に対する管電圧等の設定が既に完了しており、次の撮影をすぐに行うことができる状態になる。そのため、作業者は、撮影を次々と行うことが可能となる。
【０１３４】
なお、この場合、コンソール５８は、サムネイルｐｔのフォーカス表示については、生成した放射線画像ｐを表示してから所定時間が経過した時点で、次の撮影のアイコンＩに対応するサムネイル画像ｐｔ（正確には当該サムネイル画像ｐｔを表示するスペースＳｔ）にフォーカス表示を自動的に遷移させる。そのため、画面Ｈ２上では、図１４（Ａ）、（Ｂ）に示したように、サムネイル画像ｐｔのフォーカス表示がアイコンＩのフォーカス表示の遷移をいわば追いかけるようにして遷移する状態になる。
【０１３５】
また、前述したように、アイコンＩやサムネイル画像ｐｔのフォーカス表示は、作業者がアイコンＩやサムネイル画像ｐｔをクリックする等して手動で遷移させることができる。そこで、一連の撮影が終了した後、作業者がサムネイル画像ｐｔをクリックする等の操作を行うことでサムネイル画像ｐｔのフォーカス表示を遷移させて、当該サムネイル画像ｐｔに対応する確定指示等が行われていない（すなわち未確定の）放射線画像ｐの確定指示等を行うことができる。
【０１３６】
すなわち、サムネイル画像ｐｔをクリックする等してサムネイル画像ｐｔのフォーカス表示を目的の放射線画像ｐのサムネイル画像ｐｔに遷移させて、画像Ｈ２の中央の表示ワーキングスペースＳに生成処理済みの未確定の放射線画像ｐを表示させる。そして、必要があれば画質調整処理を行ったうえで放射線画像ｐの確定指示を行うことで、放射線画像ｐを確定させて、対応する撮影オーダー情報に的確に対応付けることが可能となる。
【０１３７】
このように、この［例２］の放射線画像撮影システム５０やコンソール５８によれば、作業に慣れた作業者が、放射線画像ｐに的確に画質調整を行う等して、放射線画像ｐを撮影オーダー情報に確実に対応付けることが可能となる。しかも、フォーカス表示の遷移モードとして第２遷移モードを設定することで、作業に慣れた作業者が、次々と撮影を行うことが可能となるため、撮影効率をより向上させることが可能となるとともに、そのような作業者にとって放射線画像撮影システム５０やコンソール５８が使い易いものとなる。
【０１３８】
そして、以上の［例１］や［例２］で説明したように、コンソール５８が、このコンソール５８を用いて処理を行う作業者に応じて、すなわち作業者が作業に慣れているか不慣れであるか（すなわち作業者の技量や技能）に応じて、フォーカス表示の遷移モードを第１遷移モードと第２遷移モードのいずれかに設定するように構成することが可能である。
【０１３９】
その場合、例えば、作業者の氏名やＩＤ等の識別情報といずれかの遷移モードとを予め対応付けるテーブル等を用意しておき、コンソール５８は、例えば撮影に先立って作業者の識別情報が入力されると、それに基づいてテーブルを参照して自動的にその作業者に対応付けられた遷移モードを設定するように構成することが可能である。
【０１４０】
このように、作業者に応じてコンソール５８におけるフォーカス表示の遷移モードを設定することで、作業に不慣れな作業者は第１遷移モードで、また、作業に慣れた作業者は第２遷移モードでアイコンＩやサムネイル画像ｐｔのフォーカス表示を遷移させることが可能となり、上記の［例１］や［例２］で示した効果をそれぞれ有効に発揮させることが可能となる。
【０１４１】
なお、上記のテーブルにおける作業者の識別情報と遷移モードとの対応付け、例えば作業者が放射線画像撮影システム５０やコンソール５８を用いて撮影を行った回数や、技能検定に合格したこと、或いは自己申告等によって適宜更新できるように構成されることが好ましい。また、作業者の申告によって随時遷移モードを切り替えることができるように構成することが好ましい。このように構成すれば、作業者の技量や好み等に応じて遷移モードを適宜変更することが可能となり、作業の効率や確実性をより向上させることが可能となる。
【０１４２】
また、一旦、撮影を開始した後、撮影オーダー情報の状況に応じて、第１遷移モードと第２遷移モードとを切り替えて使用することも想定される。例えば、一の患者の１回撮影を指示する撮影オーダー情報が連続する途中に、一の患者の複数撮影を指示する撮影オーダー情報が混在しているような場合、当該患者を撮影のために拘束している状態から早期に解放するために、複数撮影を優先して行うべく第２遷移モードに切り替え、当該患者の複数撮影が終了した後には、対応付けのミスの発生を防止すべく第１遷移モードに戻す、といった使用形態も想定される。そのような場合には、例えば図示しない遷移モード変更ボタンを技師等の撮影者が操作することで、遷移モードを切り替え可能とすることが好ましい。
【０１４３】
また、上記のケースにおいては、コンソール５８が、撮影オーダー情報に含まれる患者情報を使用して、選択された撮影オーダー情報に含まれる患者情報と同一の患者情報を有する他の未撮影の撮影オーダー情報が存在しないと判断した場合には、第１遷移モードに自動設定し、当該撮影の終了後、次の撮影オーダー情報が指定されると、当該撮影オーダー情報に含まれる患者情報と同一の患者情報を有する未撮影の撮影オーダー情報が存在する場合には、第２遷移モードに自動設定することとしてもよい。
【０１４４】
［例３］
ところで、図１に示した放射線画像撮影システム５０では、上記のように、放射線技師等の作業者が撮影室Ｒａと前室Ｒｂとを行き来して、撮影と、画質調整処理や確定指示とを１人で行う場合について説明した。しかし、例えば１人の作業者（例えば経験が浅い放射線技師）が撮影を行い、別の作業者（例えば上級の放射線技師）が画質調整処理や確定指示を行うというように、作業を分担して行う場合もある。
【０１４５】
そして、撮影室Ｒａ内で撮影を行う作業者とコンソール５８上で放射線画像ｐの確定指示等を行う作業者とが上記のように別人である場合、撮影を行う作業者は、放射線画像ｐの確定指示等は他の作業者に任せて自らは撮影を次々と行いたいと考えるであろうし、放射線画像ｐの確定指示等を行う作業者は、他の作業者が行う撮影とは独立して放射線画像ｐの画質調整処理や確定指示を行いたいと考えることが想定される。
【０１４６】
そのため、撮影室Ｒａ内で撮影を行う作業者とコンソール５８上で放射線画像ｐの確定指示等を行う作業者とが上記のように別人である場合には、少なくともコンソール５８の画面Ｈ２上におけるフォーカス表示の遷移モードを第２遷移モードに設定することが望ましい。すなわち、アイコンＩのフォーカス表示の遷移と、その近傍に表示されるプレビュー画像ｐ_preや放射線画像ｐのサムネイル画像ｐｔのフォーカス表示の遷移とを、それぞれ独立に行うように設定されることが望ましい。
【０１４７】
このように、この［例３］の放射線画像撮影システム５０やコンソール５８によれば、フォーカス表示の遷移モードとして第２遷移モードを設定することで、アイコンＩのフォーカス表示の遷移とサムネイル画像ｐｔのフォーカス表示の遷移とをそれぞれ独立に行うことが可能となるため、撮影室Ｒａ内で撮影を行う作業者はアイコンＩのフォーカス表示を遷移させて、また、コンソール５８上で放射線画像ｐの確定指示等を行う作業者はサムネイル画像ｐｔのフォーカス表示を遷移させて、相手の作業に束縛されることなく互いに自由に自分の作業を行うことが可能となる。
【０１４８】
そのため、放射線画像ｐの確定指示等を行う作業者は、放射線画像ｐに対して的確に画質調整を行う等して放射線画像ｐを確定させて撮影オーダー情報に確実に対応付けることが可能となるとともに、撮影を行う作業者は、放射線画像ｐの確定指示を行う必要がなく自分のペースで次々と撮影を行うことが可能となるため、撮影効率をより向上させることが可能となる。
【０１４９】
そして、以上の［例３］で説明したように、コンソール５８が、撮影室Ｒａ内で撮影を行う作業者と、コンソール５８上で放射線画像ｐの確定指示等を行う作業者とが、同じ作業者であるか別人であるかに応じて、フォーカス表示の遷移モードを第１遷移モードと第２遷移モードのいずれかに設定するように構成することが可能である。
【０１５０】
なお、上記の［例３］のように構成する場合、撮影を行う放射線技師等の作業者がアイコンＩのフォーカス表示を遷移させるためにいちいち前室Ｒｂのコンソール５８の所に移動したり、コンソール５８上で放射線画像ｐの確定指示等を行う別の作業者にアイコンＩのフォーカス表示を遷移させることを依頼するように構成されていると、作業効率が低下してしまう可能性がある。
【０１５１】
そこで、［例３］のように構成する場合には、撮影を行う作業者に、例えば図１５に示すような携帯端末６１を携帯させるように構成し、携帯端末６１の画面６１ａ上に、コンソール５８に表示されるアイコンＩと同様のアイコンＩを表示させるように構成することが好ましい。
【０１５２】
また、撮影を行う作業者は、再撮影の要否を判断するためにプレビュー画像ｐ_preを見る必要がある。そのため、コンソール５８の場合と同様に、例えば図１５に示すようにアイコンＩの近傍にプレビュー画像ｐ_preのサムネイル画像ｐｔを表示させるように構成することも可能である。その際、プレビュー画像ｐ_preのサムネイル画像ｐｔを見易くするために、例えばプレビュー画像ｐ_preのサムネイル画像ｐｔを、コンソール５８上に表示する場合よりも大きく表示させたり、或いは、例えばプレビュー画像ｐ_preを前述した所定時間の間、画面６１ａ上に拡大して表示するように構成することも可能である。
【０１５３】
なお、プレビュー画像ｐ_preを見た作業者が再撮影が必要であると判断した場合、携帯端末から、コンソール５８を介して、或いは直接、放射線画像撮影装置１に信号を送信して再撮影にむけた準備を開始するように指示するように構成することが可能である。また、放射線画像撮影装置１から携帯端末６１へのプレビュー画像用データＤｐの送信も、放射線画像撮影装置１から携帯端末６１に直接送信するように構成してもよく、また、コンソール５８を経由して送信するように構成することも可能である。
【０１５４】
さらに、上記の［例３］のように構成する場合、コンソール５８上で放射線画像ｐの確定指示等を行う作業者が、アイコンＩのフォーカス表示を遷移させることができるように構成すると、撮影を行う作業者の意に反してアイコンＩのフォーカス表示が遷移させてしまい、撮影に混乱を招く可能性がある。そして、この場合、生成された放射線画像ｐが誤った撮影オーダー情報に対応付けられてしまう等の事態が生じる虞れもある。
【０１５５】
そのため、上記の［例３］のように構成する場合には、放射線画像ｐの確定指示等を行う作業者が使用するコンソール５８では、作業者によるアイコンＩのフォーカス表示の遷移を禁止し、撮影を行う作業者が携帯する携帯端末６１でのみ作業者によるアイコンＩのフォーカス表示の遷移が許容されるように構成されることが望ましい。その際、コンソール５８では、放射線画像ｐの確定指示等を行うことだけが許容される。
【０１５６】
また、この場合、コンソール５８では、アイコンＩのフォーカス表示を遷移させることができなくなるが、撮影を行う作業者が携帯端末６１上でアイコンＩのフォーカス表示を遷移させるのに追従して、コンソール５８の画面Ｈ２上でもアイコンＩのフォーカス表示が遷移するように表示させるように構成することも可能である。また、この場合、コンソール５８では、アイコンＩのフォーカス表示を行わない（すなわちフォーカス表示を伴わない各アイコンＩのみを表示する）ように構成することも可能である。
【０１５７】
このように構成すれば、放射線画像ｐの確定指示等を行う作業者によって撮影を行う作業者の意に反してアイコンＩのフォーカス表示が遷移されてしまうことを的確に防止することが可能となり、撮影を行う作業者が、混乱することなく撮影を的確に行うことが可能となる。また、そのため、生成された放射線画像ｐが誤った撮影オーダー情報に対応付けられてしまう等の問題が生じることを的確に防止して、放射線画像ｐを撮影オーダー情報に的確に対応付けることが可能となる。
【０１５８】
また、その場合、逆に、携帯端末６１側で、作業者によるサムネイル画像ｐｔのフォーカス表示の遷移を禁止するように構成することが好ましい。また、撮影を行う作業者が、以前に撮影を行ったプレビュー画像ｐ_pre（或いは放射線画像ｐ）を再度確認したい場合が生じる可能性もある。そこで、その場合には、コンソール５８におけるサムネイル画像ｐｔのフォーカス表示の遷移とは独立して（すなわち無関係に）、携帯端末６１の画面６１ａ上で作業者によるサムネイル画像ｐｔのフォーカス表示の遷移を行うことができるように構成することも可能である。
【０１５９】
［例４］
上記の［例３］を、例えば図１６に示すように、複数の撮影室Ｒａと１つのコンソール５８とが対応付けられた放射線画像撮影システム５０に適用することも可能である。
【０１６０】
この場合、例えば図１６の撮影室Ｒａ１と撮影室Ｒａ２には、それぞれ撮影を行う作業者が配置されており、それらの作業者が次々と撮影を行う。そして、それらの撮影室Ｒａ１、Ｒａ２に対応付けられ、撮影室外に配置されたコンソール５８で、撮影室Ｒａ１、Ｒａ２で撮影された放射線画像ｐの生成処理等を行い、コンソール５８に配置された作業者が、それらの放射線画像ｐの画質調整処理や確定指示を次々と行うように構成することが可能である。
【０１６１】
そのため、この場合も、コンソール５８や、撮影室Ｒａ１、Ｒａ２の各作業者が携帯する携帯端末６１におけるフォーカス表示の遷移モードは、第２遷移モード、すなわちアイコンＩのフォーカス表示の遷移とサムネイル画像ｐｔのフォーカス表示の遷移とをそれぞれ独立に行う遷移モードに設定される。
【０１６２】
そして、この［例４］の放射線画像撮影システム５０やコンソール５８によれば、フォーカス表示の遷移モードとして第２遷移モードを設定することで、アイコンＩのフォーカス表示とサムネイル画像ｐｔのフォーカス表示をそれぞれ独立に遷移させることが可能となるため、撮影室Ｒａ１、Ｒａ２内で撮影を行う各作業者は、それぞれアイコンＩのフォーカス表示を自由に遷移させ、また、コンソール５８上で放射線画像ｐの確定指示等を行う作業者はサムネイル画像ｐｔのフォーカス表示を自由に遷移させて、相手の作業に束縛されることなくそれぞれ自分の作業を行うことが可能となる。
【０１６３】
そのため、放射線画像ｐの確定指示等を行う作業者は、放射線画像ｐに対して的確に画質調整を行う等して放射線画像ｐを確定させて撮影オーダー情報に確実に対応付けることが可能となるとともに、撮影を行う各作業者は、放射線画像ｐの確定指示を行う必要がなく自分のペースでそれぞれ次々と撮影を行うことが可能となるため、撮影効率をより向上させることが可能となる。
【０１６４】
なお、この場合、例えば撮影室Ｒａ１では立位撮影用のブッキー装置５１Ａ（図１参照）を用いた撮影のみを行い、撮影室Ｒａ２では臥位撮影用のブッキー装置５１Ｂを用いた撮影のみを行ったり、或いは放射線画像撮影装置１をブッキー装置に装填しない単独の状態で用いた撮影のみを行うなど、各撮影室Ｒａの各作業者同士もそれぞれ役割分担して撮影を行うように構成することも可能である。
【０１６５】
その際、コンソール５８は、ＲＩＳ等から取得した一連の撮影オーダー情報に記載されている「ブッキーＩＤ」Ｐ９（図１０等参照）に基づいて、当該ブッキーＩＤを有するブッキー装置５１がどの撮影室に配置されているか、すなわち当該撮影オーダー情報に関する撮影がどの撮影室Ｒａで行われるかを割り出し、割り出した撮影室に当該撮影オーダー情報を振り分けて送信することができる。
【０１６６】
また、各撮影室Ｒａ１、Ｒａ２をそれぞれ患者単位に使用することも可能であり、その場合には、コンソール５８は各患者ごとに撮影オーダー情報を弁別して、一の患者に係る単数または複数の撮影オーダー情報をまとめて当該撮影室に送信することとしてもよい。さらに、コンソール５８は、各撮影室Ｒａ１、Ｒａ２に共通の撮影オーダー情報を送信し、各撮影室Ｒａの携帯端末６１側で撮影オーダー情報を弁別することとしてもよい。この場合には、一の携帯端末６１で選択された撮影オーダー情報を、他の携帯端末６１から選択できないよう排他処理がかけられることは言うまでもない。
【０１６７】
［例５］
一方、放射線画像撮影システム５０等を使用する放射線技師等の作業者が、作業に慣れた作業者である場合、例えば図１に示したように、撮影室Ｒａとコンソール５８とが１：１に対応付けられており、撮影室Ｒａとコンソール５８とを１人の作業者がいわば独占する状態で撮影や放射線画像ｐの確定指示等を行う場合には、上記の［例２］で説明したように、コンソール５８におけるフォーカス表示の遷移モードを第２遷移モードに設定することで、作業に慣れた作業者が、次々と撮影を行いつつ、放射線画像ｐを撮影オーダー情報に確実に対応付けることが可能となった。
【０１６８】
しかし、例えば図１６に示すように、複数の撮影室Ｒａ３、Ｒａ４と１つのコンソール５８とが対応付けられた放射線画像撮影システム５０において、作業に慣れた複数の作業者（作業に不慣れな作業者の場合も同様）が、それぞれ撮影室Ｒａ３、Ｒａ４を使って撮影を行う場合は、必ずしも上記の［例２］を適用しない方がよい場合がある。
【０１６９】
以下、例えば、作業者Ａが撮影室Ｒａ３を使い、作業者Ｂが撮影室Ｒａ４を使って撮影を行い、それぞれが撮影室Ｒａ３、Ｒａ４に対応付けられた１つのコンソール５８を共用してそれぞれ放射線画像ｐの確定指示等を行うものとして説明する。
【０１７０】
このような場合に、上記の［例２］を適用すると、コンソール５８でのフォーカス表示の遷移モードは第２遷移モード、すなわちアイコンＩのフォーカス表示の遷移とサムネイル画像ｐｔのフォーカス表示の遷移とをそれぞれ独立に行う遷移モードに設定され、作業者Ａ、Ｂはそれぞれ独立にアイコンＩのフォーカス表示やサムネイル画像ｐｔのフォーカス表示を遷移させることができるようになる。
【０１７１】
しかし、この場合、例えば、作業者Ａと作業者Ｂが、コンソール５８上でアイコンＩやサムネイル画像ｐｔのフォーカス表示をそれぞれ自由に遷移させてしまうと整理がつかなくなり、アイコンＩのフォーカス表示を見ても自分が担当する撮影のうちどの撮影まで終了したかが分からず、サムネイル画像ｐｔのフォーカス表示を見てもどの放射線画像ｐまで確定指示等が終了したかを認識することができなくなる。
【０１７２】
そのため、自分の担当ではない放射線画像ｐを勝手に確定させて撮影オーダー情報に対応付けてしまったり、或いは放射線画像ｐの確定指示や撮影オーダー情報への対応付けを忘れてしまう等の混乱が生じる虞れがある。
【０１７３】
そこで、このように、複数の作業者が１つのコンソール５８を共用する場合、すなわち上記の［例４］のように撮影と放射線画像ｐの確定指示等とを役割分担するのではなく、１人の作業者が撮影も放射線画像ｐの確定指示等も行うが、そのような複数の作業者が１つのコンソール５８を共用する場合には、コンソール５８におけるフォーカス表示の遷移モードとして第１遷移モード、すなわちアイコンＩのフォーカス表示の遷移とサムネイル画像ｐｔのフォーカス表示の遷移とを同時に行う遷移モードを設定するように構成することが望ましい。
【０１７４】
そして、この場合は、例えば撮影室Ｒａで撮影を行った作業者がコンソール５８の所に移動して、その場ですぐに放射線画像ｐの確定指示等を行って放射線画像ｐを撮影オーダー情報に対応付ける。そして、次に撮影を行う作業者が、アイコンＩのフォーカス表示の遷移とサムネイル画像ｐｔのフォーカス表示の遷移とを同時に行って自分が次の撮影を行うことを宣言し、撮影を行うとすぐに放射線画像ｐの確定指示等を行って放射線画像ｐを撮影オーダー情報に対応付ける、という作業を繰り返すように構成される。
【０１７５】
このように、この［例５］の放射線画像撮影システム５０やコンソール５８によれば、フォーカス表示の遷移モードとして第１遷移モードを設定することで、作業者が自分の担当ではない放射線画像ｐを勝手に確定させて撮影オーダー情報に対応付けてしまったり、放射線画像ｐの確定指示や撮影オーダー情報への対応付けを忘れてしまう等の混乱が生じることなく、的確に放射線画像ｐの確定指示等を行って放射線画像ｐを撮影オーダー情報に確実に対応付けることが可能となる。
【０１７６】
そして、以上の［例４］や［例５］で説明したように、コンソール５８は、当該コンソール５８が使用される使用態様、すなわち例えば［例４］で説明したように各作業者が役割分担して撮影や放射線画像ｐの確定指示等を行う使用態様であるか、或いは例えば［例５］で説明したように各作業者がそれぞれ独自に撮影も放射線画像ｐの確定指示等も行う使用態様であるか等に応じて、フォーカス表示の遷移モードを第１遷移モードと第２遷移モードのいずれかに設定するように構成することが可能である。
【０１７７】
［例６］
なお、上記の［例１］〜［例５］では、コンソール５８が、コンソール５８を用いて処理を行う作業者に応じ（［例１］や［例２］の場合）、撮影室Ｒａ内で撮影を行う作業者とコンソール５８上で放射線画像ｐの確定指示等を行う作業者とが同じ作業者であるか別人であるかに応じ（［例３］や［例４］の場合）、或いは、コンソール５８の使用態様に応じて（［例５］の場合）、フォーカス表示の遷移モードを第１遷移モードと第２遷移モードのいずれかに設定する場合について説明した。
【０１７８】
しかし、例えば図１６に示すように、放射線画像撮影システム５０が、ネットワークＮ等を介して単数或いは複数のコンソール５８に接続された管理装置Ｓを備え、管理装置Ｓが、コンソール５８を用いて処理を行う作業者に応じ、撮影室Ｒａ内で撮影を行う作業者とコンソール５８上で放射線画像の確定指示等を行う作業者とが同じ作業者であるか別人であるかに応じ、或いは、コンソール５８の使用態様に応じて、フォーカス表示の遷移モードを第１遷移モードと第２遷移モードのいずれかに設定するように構成することも可能である。
【０１７９】
このように構成すれば、コンソール５８は、自ら判断してフォーカス表示の遷移モードを第１遷移モードと第２遷移モードのいずれかに設定する代わりに、管理装置Ｓにフォーカス表示の遷移モードを第１遷移モードと第２遷移モードのいずれかに設定すればよいかを問い合わせればよいことになり、コンソール５８での処理負担を軽減することが可能となる。
【０１８０】
また、例えば図１６に示すように、複数のコンソール５８を備える放射線画像撮影システム５０に管理装置Ｓを設ければ、システムを使用する作業者に変更があったりコンソール５８の使用態様等に変更があり、フォーカス表示の遷移モードを第１遷移モードと第２遷移モードのいずれかに設定するためのプログラムを変更する必要が生じた際に、管理装置Ｓの記憶手段Ｓａに記憶されたプログラムだけを変更すればよく、各コンソール５８に変更されたプログラムをいちいちインストールする等の作業を行わなくてもよい。そのため、プログラムの変更等を容易かつ的確に行うことが可能となるといった効果もある。
【０１８１】
［効果］
以上のように、本実施形態に係る放射線画像撮影システム５０やコンソール５８によれば、コンソール５８におけるフォーカス表示の遷移モードとして、アイコンＩのフォーカス表示の遷移と、放射線画像ｐ等のサムネイル画像ｐｔのフォーカス表示の遷移とを同時に行う第１遷移モードと、アイコンＩのフォーカス表示の遷移とサムネイル画像ｐｔのフォーカス表示の遷移とをそれぞれ独立に行うことが可能な第２遷移モードとを有するように構成し、さらに、フォーカス表示の遷移モードを第１遷移モードと第２遷移モードとの間で切り替え可能とされるように構成した。
【０１８２】
そのため、上記のように、システムを使用する放射線技師等の作業者やコンソール５８の使用態様が変わっても、放射線画像ｐに対して的確に画質調整を行う等して、放射線画像ｐを撮影オーダー情報に確実に対応付けることが可能となる。そのため、放射線画像ｐの撮影オーダー情報への対応付けをし忘れたり、他の作業者が撮影した放射線画像ｐを自分が撮影した放射線画像ｐであると勘違いして確定指示等を行ってしまう等の問題が生じることを的確に防止することが可能となる。
【０１８３】
［変形例１］
なお、放射線画像ｐの撮影オーダーへの対応付けを優先させるため、コンソール５８におけるフォーカス表示の遷移モードは、デフォルトの状態では、第１遷移モードすなわちアイコンＩのフォーカス表示の遷移と、放射線画像ｐ等のサムネイル画像ｐｔのフォーカス表示の遷移とを同時に行う遷移モードが設定されるようにすることが望ましい。
【０１８４】
また、作業者の判断等で、コンソール５８におけるフォーカス表示の遷移モードを切り替えることができるように構成することが望ましい。
【０１８５】
［変形例２］
また、上記のように、フォーカス表示の遷移モードとして第２遷移モードが設定された場合には、放射線画像ｐの撮影オーダー情報への対応付けのし忘れが生じる可能性が高くなる。
【０１８６】
そこで、まだ確定指示が完了していない放射線画像ｐについては、例えばコンソール５８の画面Ｈ２（図１２等参照）のサムネイル画像ｐｔ上やその近傍等に、当該サムネイル画像ｐｔで示される放射線画像ｐはまだ確定指示等が行われていないことを表すマーク等を表示するように構成することが可能である。この場合のマーク等は、例えば「未確定」等の文字で表示してもよく、また、未確定であることが分かる特定の形状や色彩等を表示するように構成することも可能である。
【０１８７】
また、サムネイル画像ｐｔ上やその近傍等にマーク等を表示する代わりに、コンソール５８の表示部５８ａ上に、作業者が未確定である放射線画像ｐ（或いはサムネイル画像ｐｔ）がどの画像であるかを容易かつ明確に認識できるような表示を行うように構成することも可能である。さらに、例えば、作業者が一連の処理を終了しようとした時点で、まだ確定指示等が行われていない放射線画像ｐがある場合には、表示や音声等で作業者にその旨を警告するように構成することも可能である。
【０１８８】
［変形例３］
また、これから行う撮影数が多いと、図１１や図１２に示したように画面Ｈ２上にアイコンＩやサムネイル画像ｐｔ（サムネイル画像ｐｔが表示されておらずスペースＳｔだけの場合を含む。）を表示した場合にアイコンＩ等が画面１ページ分では収まらず、次のページやそれ以降のページにまでまたがる場合があり得る。
【０１８９】
そして、そのような場合に、フォーカス表示の遷移モードとしてアイコンＩのフォーカス表示の遷移とサムネイル画像ｐｔのフォーカス表示の遷移とをそれぞれ独立に行うことが可能な第２遷移モードが設定されると、アイコンＩのフォーカス表示とサムネイル画像ｐｔのフォーカス表示が異なるページで行われる状況が生じ得る。
【０１９０】
そして、このような場合、アイコンＩのフォーカス表示やサムネイル画像ｐｔのフォーカス表示がどのページで行われているか（すなわちフォーカス表示の所在）が画面Ｈ２上で分かれば、放射線技師等の作業者にとって作業がし易くなる。そこで、画面Ｈ２上にフォーカス表示の所在を表示するように構成することが望ましい。
【０１９１】
例えば、アイコンＩのフォーカス表示が現在開いているページの前のページやそれ以前のページで行われている場合には、例えば図１７に示すように、最も上方に表示されているアイコンＩのさらに上側に、アイコンＩのフォーカス表示と同様に「前ページ」や「２ページ前」等の文字を枠で囲い、あたかもフォーカス表示するようにして表示することが可能である。
【０１９２】
なお、図１７では、「前ページ」等の文字を囲う枠を黒く表示するように記載されているが、アイコンＩ等のフォーカス表示の場合と同様に、実際には、黒や濃いグレーで表示された画面Ｈ２上に明るい色の枠で囲って表示することで、放射線技師等の作業者がその表示を容易かつ的確に認識することができるようになっている。
【０１９３】
また、図示を省略するが、サムネイル画像ｐｔのフォーカス表示が現在開いているページの前のページやそれ以前のページで行われている場合には、同様に、最も上方に表示されているサムネイル画像ｐｔのさらに上側に「前ページ」や「２ページ前」等の文字を枠で囲って表示するように構成することが可能である。さらに、アイコンＩやサムネイル画像ｐｔのフォーカス表示が現在開いているページの次のページやそれ以降のページで行われている場合には、今度は、最も下方に表示されているアイコンＩやサムネイル画像ｐｔのさらに下側に「次ページ」や「２ページ後」等の文字を枠で囲って表示するように構成することが可能である。
【０１９４】
このように表示することで、現在開いているページにフォーカス表示がなくても、作業者が容易かつ的確にアイコンＩやサムネイル画像ｐｔのフォーカス表示の所在を認識し、ページをめくってフォーカス表示されているアイコンＩやサムネイル画像ｐｔを画面Ｈ２上に容易かつ的確に表示させることが可能となる。
【０１９５】
また、画面Ｈ２上のいずれかの位置に、アイコンＩやサムネイル画像ｐｔがフォーカス表示されているページに自動的にジャンプするボタンアイコンを表示し、作業者が当該ボタンアイコンをクリックすることでアイコンＩやサムネイル画像ｐｔがフォーカス表示されているページに自動的にジャンプするように構成することも可能である。
【０１９６】
さらに、例えば、現在行われている撮影で得られる放射線画像ｐすなわち最新の放射線画像ｐの画質調整や確定指示等を行う場合、サムネイル画像ｐｔのフォーカス表示を、当該最新の放射線画像ｐのサムネイル画像ｐｔや、最新の放射線画像ｐがまだ生成されていない場合には当該最新の放射線画像ｐのサムネイル画像ｐｔを表示するスペースＳｔの位置に簡単に遷移させることができれば作業が楽になる。
【０１９７】
そこで、例えば、画面Ｈ２上のいずれかの位置に、例えば「最新の放射線画像に移動」等と記載されたボタンアイコンを設けるように構成し、作業者が当該ボタンアイコンをクリックすることで、当該最新の放射線画像ｐのサムネイル画像ｐｔやそれを表示するスペースＳｔの位置にフォーカス表示を遷移させるように構成することも可能である。
【０１９８】
［変形例４］
また、現在、アイコンＩがフォーカス表示されていないページを開いており、フォーカス表示されているアイコンＩの内容（すなわちアイコンＩ上に表示されている「撮影部位」Ｐ７や「撮影方向」Ｐ８等（図１０等参照）の撮影条件等）を確認するために、いちいちページをめくってフォーカス表示されているアイコンＩを表示させるのが面倒である場合がある。
【０１９９】
そこで、そのような面倒な操作を回避するために、例えば画面Ｈ２のいずれかの位置に、現在フォーカス表示されているアイコンＩの内容を表示するように構成することも可能である。この表示は、ページをめくっても消えることなく常時表示される。そして、アイコンＩのフォーカス表示が遷移するごとに、表示される内容が、フォーカス表示が遷移されたアイコンＩの内容に変わるようになる。
【０２００】
［変形例５］
一方、例えば上記の［例３］等のように、撮影室Ｒａ内で撮影を行う作業者とコンソール５８上で放射線画像ｐの確定指示等を行う作業者とが別人である場合、コンソール５８上で放射線画像ｐの確定指示等を行う作業者は、どのタイミングで撮影が行われ、放射線画像撮影装置１からコンソール５８にプレビュー画像用データＤｐや画像データＤが送信されてくるかが分からない場合がある。
【０２０１】
そこで、例えば図１８に示すように、撮影が行われ、コンソール５８が、放射線画像撮影装置１から送信されたプレビュー画像用データＤｐや画像データＤ等に基づいてプレビュー画像ｐ_preや放射線画像ｐを生成した時点で、生成したプレビュー画像ｐ_preや放射線画像ｐを画面Ｈ２の一部に表示するように構成することが可能である。
【０２０２】
このように構成すれば、画面Ｈ２の一部に表示されたプレビュー画像ｐ_preや放射線画像ｐを見て、撮影が行われたことを知り、その放射線画像ｐの確定指示等を行うことができるようになった（或いはもうすぐできるようになる）ことを容易かつ的確に認識することが可能となる。
【０２０３】
なお、このように新たな撮影のプレビュー画像ｐ_preや放射線画像ｐを画面Ｈ２の一部に表示すると、現在行っている放射線画像ｐの確定指示等の作業の邪魔になる場合もある。そこで、例えば、デフォルトの状態では、新たな撮影のプレビュー画像ｐ_preや放射線画像ｐを画面Ｈ２の一部に表示することとしておき、作業者の操作により、新たな撮影のプレビュー画像ｐ_preや放射線画像ｐを画面Ｈ２の一部に表示しないように変更することができるように構成することが可能である。
【０２０４】
また、放射線技師等の作業者は、大領域の表示ワーキングスペースＳに表示されたプレビュー画像ｐ_preを一瞥すれば、撮影の成否（すなわち再撮影の要否。以下同じ）を概ね判断することができる。すなわち、放射線画像ｐの修正を必要とせず、予め定められた画像処理のままで確定可能となるか、或いは、予め定められた画像処理に対し部分的に画像処理パラメータを変更すること（すなわち画質調整すること）で確定可能となることを判断したり予測したりすることができる。
【０２０５】
従って、撮影の進行に伴って次々と生成されるプレビュー画像ｐ_preが、常に、表示ワーキングスペースＳに表示されるように構成すれば、放射線技師等の作業者は撮影の成否を大きな画像で精度良く判断可能となる。このように構成することは、例えば、一人の作業者が複数の作業者により撮影された画像を確認する運用形態において、画像を確認する作業者が、次々と生成されるプレビュー画像ｐ_preについて早期に上記のように判断や予測することを優先し、これらプレビュー画像ｐ_preに対応する放射線画像ｐの確定指示を後回しにしたい場面において有効となる。
【０２０６】
その際には、表示ワーキングスペースＳに一のプレビュー画像ｐ_preが表示されると同時に、当該プレビュー画像ｐ_preから生成されたサムネイル画像ｐｔをスペースＳｔに表示し、表示ワーキングスペースＳに当該プレビュー画像ｐ_preが表示されてから、放射線技師等の作業者による判断や予測に必要な時間（例えば数秒）が経過すると、サムネイル画像ｐｔのフォーカス表示を次に遷移させるように構成することが可能である。
【０２０７】
或いは、表示ワーキングスペースＳに一のプレビュー画像ｐ_preが表示されてから、作業者による判断や予測に必要な時間（例えば数秒）が経過すると、当該プレビュー画像ｐ_preから生成されたサムネイル画像ｐｔをスペースＳｔに表示するとともに、サムネイル画像ｐｔのフォーカス表示を次に遷移させるように構成することも可能である。
【０２０８】
上記の場合には、いずれの放射線画像ｐも確定指示（前述した見なし確定指示を含む。以下同じ）は未完了であるので、全体のプレビュー画像ｐ_preの視認確認を終えた後、作業者が一のサムネイル画像ｐｔをクリックする等して当該サムネイル画像ｐｔにフォーカス表示を遷移させると、フォーカス表示されたサムネイル画像ｐｔのプレビュー画像ｐ_preに対応する放射線画像ｐが生成されていれば、表示ワーキングスペースＳに放射線画像ｐが表示される。
【０２０９】
或いは、全体のプレビュー画像ｐ_preの視認確認を終えた後、コンソール５８により各放射線画像ｐの処理が自動的に開始され、放射線画像ｐの確定指示に続くこととなる。上記のいずれになるかは、コンソール５８のＣＰＵ等の処理能力に依存することは言うまでもない。
【０２１０】
なお、この方式の場合、確定指示を忘れて、放射線画像ｐをＰＡＣＳ等の外部に送信してしまうことも想定されるため、前述したように、放射線画像ｐを未確定状態で送信しようとした場合に、コンソール５８等が音やメッセージ等で作業者に報知することが好ましい。
【０２１１】
また、第１遷移モードにおいても、画像確定指示に替えて、上記のようなプレビュー画像ｐ_preに対する判断、予測までに留め、プレビュー画像ｐ_preが承認されると、次の撮影に対応するアイコンＩやスペースＳｔにフォーカス表示を遷移させることとしてもよい。この場合にも、上記と同様に、放射線画像ｐの画像確定指示は、最後にまとめて行われることになる。
【０２１２】
なお、本発明が上記の各実施形態や各変形例に限定されず、本発明の趣旨を逸脱しない限り、適宜変更可能であることは言うまでもない。
【符号の説明】
【０２１３】
１  放射線画像撮影装置
７  放射線検出素子
５０  放射線画像撮影システム
５７  放射線発生装置
５８  コンソール
５８ａ  表示部
６１  携帯端末
６１ａ  画面
Ｄ  画像データ
Ｉ  アイコン
ｐ  放射線画像
ｐｔ  サムネイル画像
Ｒａ、Ｒａ１〜Ｒａ４  撮影室
Ｓ  管理装置
Ｓｔ  スペース（サムネイル画像を表示する表示部上の位置）
【図１】
2020168383.tif 000003
【図２】
2020168383.tif 000004
【図３】
2020168383.tif 000005
【図４】
2020168383.tif 000006
【図５】
2020168383.tif 000007
【図６】
2020168383.tif 000008
【図７】
2020168383.tif 000009
【図８】
2020168383.tif 000010
【図９】
2020168383.tif 000011
【図１０】
2020168383.tif 000012
【図１１】
2020168383.tif 000013
【図１２】
2020168383.tif 000014
【図１３】
2020168383.tif 000015
【図１４】
2020168383.tif 000016
【図１５】
2020168383.tif 000017
【図１６】
2020168383.tif 000018
【図１７】
2020168383.tif 000019
【図１８】
2020168383.tif 000020